(57)【要約】【課題】フレームレーザユニットから出射されるレーザ光の光軸と光学ハウジングの信号記録媒体に向かう往路上光学系の光軸とにずれが発生してしまう。【解決手段】レーザホルダ７の孔８にレーザユニット１と共に挿入する押さえ部材１０に、レーザユニット１の一方のフレーム拡張部４ａをリードフレーム４の面方向に対して略垂直に押圧する第１押圧部１１及びレーザユニットの他方のフレーム拡張部４ｂの角を斜め方向に押圧する第２押圧部１２を備え、第１押圧部１１によりレーザユニット１をリードフレーム４の面方向に対して略垂直方向に前記孔８の内壁に押し付けると共に、第２押圧部１２によりレーザユニット１をリードフレーム４の面方向に対して略垂直方向及び略水平方向に前記孔８の内壁に押し付けるようにしている。【選択図】図１
2007027376.tif 000002
【特許請求の範囲】
【請求項１】
フレームタイプのレーザユニットをレーザホルダに取り付けるレーザユニット取付装置であって、レーザユニットが装填される孔をレーザホルダに設け、レーザホルダの孔にレーザユニットと共に挿入され、レーザユニットを前記孔内に押さえる押さえ部材を設け、前記レーザユニットはリードフレームに搭載されるレーザ素子を囲うパッケージの両側からそれぞれ張り出すフレーム拡張部を備え、前記押さえ部材はレーザホルダの孔に係合され、レーザユニットの一方のフレーム拡張部をリードフレームの面方向に対して略垂直に押圧する第１押圧部及びレーザユニットの他方のフレーム拡張部の角を斜め方向に押圧する第２押圧部を備え、前記第１押圧部によりレーザユニットをリードフレームの面方向に対して略垂直方向にレーザホルダの孔の内壁に押し付けると共に、前記第２押圧部によりレーザユニットをリードフレームの面方向に対して略垂直方向及び略水平方向に前記孔の内壁に押し付けることを特徴とするレーザユニット取付装置。
【請求項２】
押さえ部材を板金加工により形成し、前記押さえ部材に第１押圧部及び第２押圧部を板バネ状に一体に形成したことを特徴とする請求項１記載のレーザユニット取付装置。
【請求項３】
レーザホルダの孔の内壁にレーザユニットから出射されるレーザ光の光軸方向の溝を設けると共に、この溝に挿入される突片を押さえ部材に設け、かつ、押さえ部材の先端に前記孔の内壁の両側壁に当接される当接部を設け、前記押さえ部材を位置決めするようにしたことを特徴とする請求項１記載のレーザユニット取付装置。
【請求項４】
レーザホルダのレーザユニットの前方部分にレンズを装着するレンズ装着部が形成されていることを特徴とする請求項１記載のレーザユニット取付装置。
【発明の詳細な説明】
【技術分野】
【０００１】
本発明は、フレームタイプのレーザユニットをレーザホルダに取り付けるレーザユニット取付装置に関し、特に、レーザユニットをレーザホルダに形成される孔に装填して取り付ける構造のレーザユニット取付装置に関する。
【背景技術】
【０００２】
ディスク等の信号記録媒体に対して光学的に信号の読み取り、あるいは書き込みを行う光ピックアップは、各種光学素子が組み込まれる光学ハウジングに、対物レンズを駆動させる対物レンズ駆動機構を設置して構成され、前記光学ハウジングには光源となるレーザユニット、受光素子である光検出器、及びレーザユニットから出射されるレーザ光を対物レンズに導くと共に、信号記録媒体により反射されて対物レンズに戻されるレーザ光を光検出器に導く光学系が形成されている。
【０００３】
ところで、レーザユニットとしてはプラスチックモールドパッケージタイプの半導体レーザである、いわゆるフレームレーザユニットが知られている。このフレームレーザユニットはキャンパッケージタイプに比べて放熱性能に劣るもののコスト的に有利であるので、再生専用や高速対応としないような高出力のレーザ光を必要としない場合に使用される。
【０００４】
フレームレーザユニットを使用する場合、レーザ発光点の位置調整や放熱対策のためにフレームレーザユニットをレーザホルダに装填してそのレーザホルダを光学ハウジングに固定することによりフレームレーザユニットを光学ハウジングに取り付ける構成にすることが多い。（特許文献１参照）
ところで、フレームレーザユニットをレーザホルダ（あるいは光学ハウジング）に取り付ける場合、樹脂モールドされた本体部の両側からそれぞれ突出される各リードフレームを板バネにより押圧してフレームレーザユニットをレーザホルダ（あるいは光学ハウジング）の孔の内壁に押し付けることによりフレームレーザユニットを取り付ける構造が知られている。（特許文献２参照）
【特許文献１】特開２００４−１９２７５５号公報
【特許文献２】特開平１０−２６９６０１号公報
【発明の開示】
【発明が解決しようとする課題】
【０００５】
しかしながら、従来の板バネを用いてフレームレーザユニットを取り付ける構造は、板バネがフレームレーザユニットのリードフレームを面方向に対して略垂直に押圧するだけであるので、リードフレームの面方向における位置決めが行われない。その為、フレームレーザユニットから出射されるレーザ光の光軸が光学ハウジングの信号記録媒体に向かう往路上光学系の光軸とずれてしまい、光学収差が発生して光学特性が劣化する。
【０００６】
特に、複数種の信号記録媒体に対応させるために複数のレーザユニットを切り換えて使用する構成の光ピックアップの場合、信号記録媒体の種類によって光学倍率が相違したり、レーザ光の利用効率を向上させることに起因して所定のレーザユニットから出射直後のレーザ光をダイバージェントレンズにより絞ることが行われるが、このようにレーザユニットの直後に倍率を上げる凸レンズが挿入される光ピックアップの場合、前記凸レンズにより光路倍率が上げられていることによりレーザユニットから出射されるレーザ光の光軸
と光学ハウジングの往路上光学系の光軸とのずれによる光学特性の劣化の影響が大となる。
【０００７】
また、レーザホルダにフレームレーザユニットと同軸にレンズを設置する構成である場合、フレームレーザユニットのリードフレームの面方向における位置が固定していないとフレームレーザユニットの光軸と前記レンズの光軸とがずれ、このずれは光学ハウジングに対するレーザホルダの位置に関係しないので、レーザホルダの位置調整では対応できない問題であった。
【課題を解決するための手段】
【０００８】
本発明は、レーザユニットが装填される孔をレーザホルダに設け、レーザホルダの孔にレーザユニットと共に挿入され、レーザユニットを前記孔内に押さえる押さえ部材を設け、前記レーザユニットにリードフレームに搭載されるレーザ素子を囲うパッケージの両側からそれぞれ張り出すフレーム拡張部を備え、前記押さえ部材をレーザホルダの孔に係合し、前記押さえ部材にレーザユニットの一方のフレーム拡張部をリードフレームの面方向に対して略垂直に押圧する第１押圧部及びレーザユニットの他方のフレーム拡張部の角を斜め方向に押圧する第２押圧部を備え、前記第１押圧部によりレーザユニットをリードフレームの面方向に対して略垂直方向にレーザホルダの孔の内壁に押し付けると共に、前記第２押圧部によりレーザユニットをリードフレームの面方向に対して略垂直方向及び略水平方向に前記孔の内壁に押し付けるようにしている。
【発明の効果】
【０００９】
本発明に係るレーザユニット取付装置は、レーザユニットをリードフレームの面方向に対して略垂直方向及び略水平方向にレーザホルダの孔の内壁に押し付けてレーザユニットをレーザホルダに取り付けているので、レーザユニットをリードフレームの面方向に対して略垂直な方向とこの方向と直交しレーザ光の光軸方向に垂直な方向との２方向に位置決めしてレーザホルダに取り付けることが出来、レーザホルダを簡単に確実にレーザユニットの所定位置に取り付けることが出来る。
【００１０】
この場合、押さえ部材を板金加工により形成し、前記押さえ部材に第１押圧部及び第２押圧部を板バネ状に一体に形成しており、前記押さえ部材を複数の部品から構成することはない。
【００１１】
また、レーザホルダの孔に押さえ部材を位置決めして装填できるので、押さえ部材の位置ずれが防止され、レーザユニットの位置決めが確実である。
【００１２】
また、レーザホルダのレーザユニットの前方部分にレンズを装着するレンズ装着部が形成されているので、このレンズとレーザユニットから出射されるレーザ光との光軸合わせを高い信頼性で行え、前記レンズとレーザユニットからのレーザ光との光軸ずれによる光学特性の劣化の影響を防止出来、特に、前記レンズにより光路倍率が上げられる場合はレンズとレーザユニットからのレーザ光との光軸ずれによる悪影響が大であるので、この悪影響を防止するのに効果的である。
【実施例】
【００１３】
図１は本発明に係るレーザユニット取付装置の一実施例を示す展開斜視図である。
【００１４】
フレームタイプのレーザダイオードのレーザユニット１、いわゆるフレームレーザユニットはレーザチップ２がシリコンベースのサブマウント３に搭載され、そのサブマウント３が銅ベースにニッケルメッキされたリードフレーム４に搭載される構成となっている。リードフレーム４にはプラスチックモールドによりレーザチップ２のレーザ出射方向を除
く周囲及びリードフレーム４の裏面を囲むようにパッケージ５が形成され、パッケージ５の両側面からはそれぞれリードフレーム４のフレーム拡張部４ａ，４ｂが張り出している。
【００１５】
また、パッケージ５の後面からはリード端子６ａ，６ｂ，６ｃが突出され、中央のリード端子６ｂはリードフレーム４から延長して形成されるレーザダイオードのマイナス電極のアース端子となり、リード端子６ａはボンディングワイヤによりレーザチップ２に接続されてレーザダイオードのプラス電極端子となり、リード端子６ｃは電気的な接続に関与しないノンコネクトリード端子、あるいはサブマウント３にモニタダイオードが形成される場合のモニタ出力端子となる。
【００１６】
レーザホルダ７にはレーザユニット１から出射されるレーザ光の光軸方向にレーザホルダ７を貫通するように孔８が形成されており、この孔８の手前側にレーザユニット１が装填され、図２のレーザホルダ７の前方からの斜視図に示す如く、孔８のレーザユニット１の前方部分にダイバージェントレンズ９が装着されるレンズ装着部７ａが形成されている。
【００１７】
前記孔８にレーザユニット１を装填する場合、レーザユニット１を前記孔８内に押さえる押さえ部材１０がレーザユニット１と共に挿入される。前記押さえ部材１０はリン青銅の板金加工により形成され、この押さえ部材１０には第１押圧部１１及び第２押圧部１２が板バネ状に一体に形成されている。
【００１８】
また、レーザホルダ７の孔８の底面内壁には略中央にレーザ光の光軸方向の溝１３が形成されており、押さえ部材１０には前記溝１３に挿入される突片１４が一体的に設けられ、かつ、押さえ部材１０の先端は幅広に形成され、孔８の内壁の側壁に当接される当接部１５となっている。
【００１９】
図３及び図４はレーザホルダ７の孔８に押さえ部材１０を挿入した状態をそれぞれ上方から示す断面図及び後方から示す斜視図であり、押さえ部材１０は先端の当接部１５の右側が前記孔８の内壁の側壁に当接されると共に、突片１４が溝１３の側壁に係合された状態で前記孔８に挿入され、これにより押さえ部材１０は位置決めされた状態で孔８内に設置される。押さえ部材１０の孔８内への挿入量は押さえ部材１０の後端の折り曲げ部１６がレーザホルダ７の端面に当接されることにより制限される。
【００２０】
レーザホルダ７の孔８に押さえ部材１０を挿入すると、レーザホルダ７の孔８に装填されたレーザユニット１は図５の背面図に示す如く、第１押圧部１１によりフレーム拡張部４ａがリードフレーム４の面方向に対して略垂直に押圧され、第２押圧部１２によりフレーム拡張部４ｂの角が斜め方向に押圧される。その為、レーザユニット１はリードフレーム４の面方向に対して略垂直な方向とこの方向と直交しレーザ光の光軸方向に垂直な方向との２方向に位置決めしてレーザホルダ７に取り付けられ、このうち、リードフレーム４の面方向に対して略垂直な方向への押圧はレーザユニット１の両側のフレーム拡張部４ａ，４ｂの２箇所としており、レーザユニット１が確実に孔８の内壁の上面に押し付けられてレーザホルダ７に取り付けられる。ここで、レーザホルダ７は亜鉛ダイカスト製であり、孔８の内壁にレーザユニット１のフレーム拡張部４ａ，４ｂが圧接されることによりレーザユニット１の放熱が行われる。
【００２１】
図５に示すＡ−Ａ’，Ｂ−Ｂ’における断面をそれぞれ図６，図７に示している。図６は第１押圧部１１がフレーム拡張部４ａを押圧してレーザユニット１が孔８の内壁の上面に押し付けられることを示しており、図７は第２押圧部１２がフレーム拡張部４ｂを押圧してレーザユニット１が孔８の内壁の側面に押し付けられることを示している。また、レ
ーザユニット１は、図７に示される如く、フレーム拡張部４ａ，４ｂの先端１８ａ，１８ｂが孔８の開口が狭められて形成される壁面に当接されることにより孔８への挿入量が制限されてレーザホルダ７に取り付けられる。
【００２２】
レーザユニット１が装填され、ダイバージェントレンズ９が装着されたレーザホルダ７は、合成樹脂製、例えばポリフェニレンスルフィド（PPS：Polyphenylene Sulfide）製の光学ハウジング１７に取り付けられる。この場合、レーザホルダ７のダイバージェントレンズ９が装着される前方のレンズ装着部７ａを光学ハウジング１７に形成された取付孔１９に挿入し、レーザホルダ７を光学ハウジング１７に対してレーザ光の光軸方向及び光軸方向に直交する方向に変位させてレーザユニット１の位置決めを行った後、その位置でレーザホルダ７を光学ハウジング１７に接着剤により接着固定する。
【００２３】
尚、押さえ部材１０の材料をレーザユニット１のリードフレーム４と同種の金属であるリン青銅として異種金属の接触を避けて信頼性を重視しているが、押さえ部材１０の材料としては第１押圧部１１及び第２押圧部１２を板バネ状に一体に形成可能であれば良く、ステンレスなども好適である。
【図面の簡単な説明】
【００２４】
【図１】本発明に係るレーザユニット取付装置の一実施例を示す展開斜視図である。
【図２】レーザホルダ７の前方からの斜視図である。
【図３】レーザホルダ７の孔８に押さえ部材１０を挿入した状態を上方から示す断面図である。
【図４】レーザホルダ７の孔８に押さえ部材１０を挿入した状態を後方から示す斜視図である。
【図５】レーザユニット１がレーザホルダ７の孔８に装填された状態を示す背面図である。
【図６】図５に示すＡ−Ａ’における断面を示す断面図である。
【図７】図５に示すＢ−Ｂ’における断面を示す断面図である。
【符号の説明】
【００２５】
１        レーザユニット
４        リードフレーム
４ａ，４ｂ        フレーム拡張部
７        レーザホルダ
７ａ        レンズ装着部
８        孔
９        ダイバージェントレンズ
１０        押さえ部材
１１        第１押圧部
１２        第２押圧部
１３        溝
１４        突片
１５        当接部
１７        光学ハウジング
【図１】
2007027376.tif 000003
【図２】
2007027376.tif 000004
【図３】
2007027376.tif 000005
【図４】
2007027376.tif 000006
【図５】
2007027376.tif 000007
【図６】
2007027376.tif 000008
【図７】
2007027376.tif 000009